(57)【特許請求の範囲】
【請求項１】
複数の通信機器とネットワークを介して接続された情報処理端末において、
通信機器を検索するための検索要求を、前記複数の通信機器に送信する送信部と、
前記検索要求を受信した前記通信機器に固有の機器情報と、当該通信機器を特定する特定情報の伝達方法と、を含む応答を受信する受信部と、
受信した前記機器情報の一覧を表示部に表示する表示制御部と、
前記機器情報の一覧から、前記機器情報の選択を受け付ける受付部と、を備え、
前記表示制御部は、選択された前記機器情報に対応する前記伝達方法の一覧を前記表示部に表示し、
前記受付部は、前記伝達方法の一覧から、前記伝達方法の選択を受け付け、
前記送信部は、選択された前記機器情報が示す前記通信機器に、選択された旨および選択された前記伝達方法を含む機器選択通知を送信する、情報処理端末。
【請求項２】
前記伝達方法は、前記通信機器に備えられた照明を点滅させる方法、音を出力させる方法、前記通信機器における表示面の枠を点灯させる方法、前記表示面の枠の色を変更させる方法、前記表示面の一部分に表示させる方法、および前記表示面にポップアップ画面として表示させる方法のうち、いずれか一以上の方法を含む、請求項１に記載の情報処理端末。
【請求項３】
複数の通信機器と情報処理端末とがネットワークを介して接続された検索システムにおいて、
通信機器を検索するための検索要求を、前記複数の通信機器に送信する送信部と、
前記検索要求を受信した前記通信機器に固有の機器情報と、当該通信機器を特定する特定情報の伝達方法と、を含む応答を受信する受信部と、
受信した前記機器情報の一覧を表示部に表示する表示制御部と、
前記機器情報の一覧から、前記機器情報の選択を受け付ける受付部と、を備え、
前記表示制御部は、選択された前記機器情報に対応する前記伝達方法の一覧を前記表示部に表示し、
前記受付部は、前記伝達方法の一覧から、前記伝達方法の選択を受け付け、
前記送信部は、選択された前記機器情報が示す前記通信機器に、選択された旨および選択された前記伝達方法を含む機器選択通知を送信する、検索システム。
【請求項４】
複数の通信機器とネットワークを介して接続されたコンピュータを、
通信機器を検索するための検索要求を、前記複数の通信機器に送信する送信部と、
前記検索要求を受信した前記通信機器に固有の機器情報と、当該通信機器を特定する特定情報の伝達方法と、を含む応答を受信する受信部と、
受信した前記機器情報の一覧を表示部に表示する表示制御部と、
前記機器情報の一覧から、前記機器情報の選択を受け付ける受付部と、して機能させ、
前記表示制御部は、選択された前記機器情報に対応する前記伝達方法の一覧を前記表示部に表示し、
前記受付部は、前記伝達方法の一覧から、前記伝達方法の選択を受け付け、
前記送信部は、選択された前記機器情報が示す前記通信機器に、選択された旨および選択された前記伝達方法を含む機器選択通知を送信するプログラム。
【発明の詳細な説明】
【技術分野】
【０００１】
本発明は、情報処理端末、検索システム、およびプログラムに関する。
【背景技術】
【０００２】
従来から、プロジェクタやＭＦＰ（Multifunction  Peripheral）などの通信機器と、ＰＣ（Personal  Computer）やスマートフォンなどの情報処理端末とが複数接続されたネットワーク環境において、ユーザが所望の通信機器を特定する技術が開示されている。具体的には、例えば、情報処理端末において１つの通信機器を利用する場合、通信機器に検索要求（信号）を送信して検索した当該通信機器の機器情報の中から、１つの通信機器の選択を受け付け、その旨を選択された通信機器に通知する。そして、選択された通信機器側に検索要求元の端末名、ＩＰ（Internet  Protocol）アドレス等を表示することで所望の通信機器を特定する。
【０００３】
例えば、所望のネットワーク装置を容易に特定し、接続を円滑に行うネットワーク装置検索システムが開示されている（特許文献１参照）。この特許文献１では、端末からの検索時に、ネットワーク装置に検索要求元の端末名、ＩＰアドレス、入力画面を表示し、当該入力画面から任意の文字列の入力を受け付けると、端末に入力情報を応答するシステムである。
【発明の概要】
【発明が解決しようとする課題】
【０００４】
しかしながら、特許文献１等の検索システムなどの従来の技術では、情報処理端末から通信機器（ネットワーク装置）を検索して選択する際に、通信機器が利用中やスタンバイ状態などであって端末名等を表示できない場合、所望の通信機器を特定することができないという問題があった。
【０００５】
本発明は、上記に鑑みてなされたものであって、情報処理端末から選択した通信機器を特定する際に、通信機器が利用中やスタンバイ状態などであって端末名等を表示できない場合でも、所望の通信機器を特定できる情報処理端末、検索システム、およびプログラムを提供することを目的とする。
【課題を解決するための手段】
【０００６】
上述した課題を解決し、目的を達成するために、本発明は、複数の通信機器とネットワークを介して接続された情報処理端末において、通信機器を検索するための検索要求を、前記複数の通信機器に送信する送信部と、前記検索要求を受信した前記通信機器に固有の機器情報と、当該通信機器を特定する特定情報の伝達方法と、を含む応答を受信する受信部と、受信した前記機器情報の一覧を表示部に表示する表示制御部と、前記機器情報の一覧から、前記機器情報の選択を受け付ける受付部と、を備え、前記表示制御部は、選択された前記機器情報に対応する前記伝達方法の一覧を前記表示部に表示し、前記受付部は、前記伝達方法の一覧から、前記伝達方法の選択を受け付け、前記送信部は、選択された前記機器情報が示す前記通信機器に、選択された旨および選択された前記伝達方法を含む機器選択通知を送信する。
【発明の効果】
【０００７】
本発明によれば、情報処理端末から選択した通信機器を特定する際に、通信機器が利用中やスタンバイ状態などであって端末名等を表示できない場合でも、所望の通信機器を特定できるという効果を奏する。
【図面の簡単な説明】
【０００８】
【図１】図１は、実施の形態１にかかる検索システムの全体構成を示す図である。
【図２】図２は、実施の形態１にかかるＰＣのハードウェア構成を示す図である。
【図３】図３は、実施の形態１にかかるプロジェクタのハードウェア構成を示す図である。
【図４】図４は、実施の形態１にかかるＰＣおよびプロジェクタのソフトウェア構成例を示す図である。
【図５】図５は、実施の形態１にかかる検索システムにおける特定情報の伝達実行処理の流れを示すシーケンス図である。
【図６】図６は、実施の形態２にかかるＰＣおよびプロジェクタのソフトウェア構成例を示す図である。
【図７】図７は、実施の形態２にかかる検索システムにおける特定情報の伝達実行処理の流れを示すシーケンス図である。
【発明を実施するための形態】
【０００９】
以下に添付図面を参照して、情報処理端末、検索システム、およびプログラムの実施の形態を詳細に説明する。以下の実施の形態では、情報処理端末をＰＣ（Personal  Computer）に適用し、通信機器をプロジェクタに適用した場合に、ＰＣからプロジェクタを検索して特定する例を示すものである。なお、情報処理端末は、ＰＣだけでなく、スマートフォンやタブレット等の表示部を備えた端末に適用可能であり、通信機器は、プロジェクタだけでなく、ＭＦＰ（Multi  Function  Peripherals）やプリンタ等のネットワークに接続可能な機器に適用可能である。
【００１０】
（実施の形態１）
図１は、実施の形態１にかかる検索システムの全体構成を示す図である。図１に示すように、本実施の形態の検索システム１は、情報処理端末であるＰＣ１００、およびスマートフォン３と、通信機器である液晶テレビ４、プリンタ５、プロジェクタ２００、およびＭＦＰ６と、がネットワーク９０を介して接続されている。ネットワーク９０は、例えば、インターネットやＬＡＮ（Local  Area  Network）等である。
【００１１】
まず、本実施の形態にかかる検索システム１におけるＰＣ１００のハードウェア構成について説明する。図２は、実施の形態１にかかるＰＣのハードウェア構成を示す図である。
【００１２】
本実施の形態にかかるＰＣ１００は、ＣＰＵ（Central  Processing  Unit）５１などの制御装置と、ＲＯＭ（Read  Only  Memory）５２やＲＡＭ（Random  Access  Memory）５３などの記憶装置と、ネットワークに接続して通信を行う通信Ｉ／Ｆ（interface）５４と、ＨＤＤ（Hard  Disk  Drive）、ＣＤ（Compact  Disc）ドライブ装置などの外部記憶装置と、ディスプレイ装置などの表示装置と、キーボードやマウスなどの入力装置と、各部を接続するバス６１を備えており、通常のコンピュータを利用したハードウェア構成となっている。
【００１３】
次に、本実施の形態にかかる検索システム１におけるプロジェクタ２００のハードウェア構成について説明する。図３は、実施の形態１にかかるプロジェクタのハードウェア構成を示す図である。
【００１４】
図３に示すように、プロジェクタ２００は、ＣＰＵ７１と、ＲＯＭ７２と、ＲＡＭ７３と、撮影装置７５と、投影装置７６と、通信Ｉ／Ｆ７７とを備えている。
【００１５】
これらのうち、ＣＰＵ７１は、プロジェクタ２００の全体制御を行なう。ＲＯＭ７２は、ＣＰＵ７１の制御により実行される処理で利用されるプログラムや各種データを記憶する。ＲＡＭ７３は、ＣＰＵ７１の制御により実行される処理で利用されるデータ等を一時的に記憶する。撮影装置７５は、投影面やユーザのジェスチャを撮影しＲＡＭ７３に記録するものであり、例えばカメラ等である。投影装置７６は、ＲＡＭ７３上に展開された画像をスクリーン等に投影する。通信Ｉ／Ｆ７７は、情報処理端末等と各種データのやり取りを行なう。通信Ｉ／Ｆ７７は、例えば、赤外線通信、ＵＳＢ（Universal  Serial  Bus）、ＬＡＮ、ＩＥＥＥ１３９４等のためのインタフェースである。
【００１６】
次に、本実施の形態にかかるＰＣ１００およびプロジェクタ２００のソフトウェア構成について説明する。図４は、実施の形態１にかかるＰＣおよびプロジェクタのソフトウェア構成例を示す図である。
【００１７】
まずＰＣ１００について説明する。図４に示すように、ＰＣ１００は、入力装置１１０と、表示装置１１２と、記憶部１２０と、制御部１０２と、送受信部１０４と、入力受付部１０６と、表示制御部１０８と、を主に備えている。
【００１８】
入力装置１１０は、ユーザがＰＣ１００に対して各種入力を行うものであり、例えばキーボードやマウスなどである。表示装置１１２は、ユーザに対して各種情報を表示するものであり、例えば、ディスプレイ装置などである。記憶部１２０は、画像や各種情報等を記憶するものであり、例えばＨＤＤなどである。制御部１０２は、ＰＣ１００全体を制御するものである。
【００１９】
送受信部１０４は、ネットワークを介して接続されたプロジェクタ等の通信機器と各種情報を送受信するものである。本実施の形態では、送受信部１０４は、いずれかの通信機器を利用する場合、通信機器を検索するための検索要求（信号）をネットワークに接続された複数の通信機器に送信する。また、送受信部１０４は、先に送信した検索要求を受信した通信機器に固有の機器情報と、当該通信機器を特定する特定情報の伝達方法と、を含む検索要求応答（応答）を受信する。
【００２０】
ここで、機器情報とは、例えば、ＩＰアドレスや機器名などが挙げられる。また、特定情報とは、ユーザがＰＣ１００から所望の通信機器を利用するために選択した場合に、選択された通信機器を特定するための情報である。また、伝達方法とは、当該特定情報をユーザに伝達するための方法である。具体的な特定情報の伝達方法としては、例えば、通信機器に備えられたＬＥＤ（Light  Emitting  Diode）照明を点滅させる方法、通信機器のスピーカ等から音を出力させる方法などがある。他には、通信機器の表示装置における表示面の枠を点灯させる方法、表示面の枠の色を変更させる方法などがある。また他には、表示面に他の情報が表示されている場合に空いている部分（一部分）に特定情報を表示させる方法、および表示面にポップアップ画面として特定情報を表示させる方法などがある。そして、各通信機器には、それらの伝達方法のうちいずれか一以上の方法により特定情報を伝達することができる。
【００２１】
また、送受信部１０４は、入力受付部１０６により機器情報の選択および伝達方法の選択を受け付けた場合、選択された機器情報が示す通信機器に、当該通信機器が選択された旨および選択された伝達方法を含む機器選択通知を送信する。また、送受信部１０４は、接続先として選択された通信機器に接続要求を送信する。なお、送受信部１０４が送信部と受信部に相当する。
【００２２】
入力受付部１０６は、入力装置１１０を介して、ユーザによる各種設定や指示等の入力を受け付ける。本実施の形態では、入力受付部１０６は、表示制御部１０８により受信した機器情報の一覧が表示装置１１２に表示された場合、表示された機器情報の一覧のうちユーザによる機器情報の選択を入力装置１１０を介して受け付ける。また、入力受付部１０６は、表示制御部１０８により表示装置１１２に受信した伝達方法の一覧が表示された場合、表示された伝達方法の一覧のうちユーザによる伝達方法の選択を入力装置１１０を介して受け付ける。入力受付部１０６が受付部に相当する。
【００２３】
表示制御部１０８は、表示装置１１２に各種情報等を表示する。本実施の形態では、表示制御部１０８は、送受信部１０４により、通信機器から検索要求に対する検索要求応答を受信した場合、受信した機器情報の一覧を表示装置１１２に表示する。例えば、図１におけるＰＣ１００の符号１５２に示すように、ＩＰアドレスを列挙して表示する。また、表示制御部１０８は、入力受付部１０６により機器情報の選択を受け付けた場合、選択された機器情報に対応する伝達方法の一覧を表示装置１１２に表示する。例えば、図１におけるＰＣ１００の符号１５４に示すように、三角形状のボタンを指示すると伝達方法の一覧が表示され、いずれかの伝達方法を選択できるよう表示する。
【００２４】
次に、プロジェクタ２００について説明する。図４に示すように、プロジェクタ２００は、表示装置２２０と、出力装置２２２と、記憶部２４０と、制御部２０２と、送受信部２０４と、判断部２０６と、表示制御部２０８と、出力制御部２１０と、を主に備えている。
【００２５】
表示装置２２０は、ユーザに対して各種情報を表示するものであり、例えば、スクリーンやディスプレイ装置などである。出力装置２２２は、ユーザに対して各種情報を音により出力するものであり、例えばスピーカなどである。記憶部２４０は、機器情報や特定情報の伝達方法などの各種情報を記憶するものであり、例えばＨＤＤなどの記録媒体である。制御部２０２は、プロジェクタ２００全体を制御するものである。
【００２６】
送受信部２０４は、ネットワークを介して接続されたＰＣ等の情報処理端末と各種情報を送受信するものである。本実施の形態では、送受信部２０４は、ＰＣ１００から、通信機器を検索するための検索要求（信号）を受信する。また、送受信部２０４は、受信した検索要求に対して、通信機器（自機器）に固有の機器情報（ＩＰアドレスや機器名等）と、通信機器を特定する特定情報の伝達方法とを含む検索要求応答を、検索要求を送信してきたＰＣ１００に送信する。また、送受信部２０４は、ＰＣ１００に選択された場合、選択された旨および選択された伝達方法を含む機器選択通知を受信する。
【００２７】
判断部２０６は、送受信部２０４により機器選択通知を受信した場合、機器選択通知に含まれている伝達方法に従って、表示制御部２０８または出力制御部２１０に、機器を特定する特定情報を伝達させる。なお、表示制御部２０８および出力制御部２１０が実行部に相当する。
【００２８】
表示制御部２０８は、表示装置２２０に各種情報等を表示（投影）する。本実施の形態では、表示制御部２０８は、判断部２０６によって表示装置２２０への表示により特定情報を伝達させると判断された場合、特定情報を表示装置２２０に表示する。例えば、表示制御部２０８は、表示装置２２０の表示面の枠を点灯させたり、表示面の枠の色を変更させる。また、例えば、表示制御部２０８は、表示面に他の情報が表示されている場合に空いている部分（一部分）に特定情報を表示させたり、表示面にポップアップ画面として特定情報を表示させる。
【００２９】
出力制御部２１０は、出力装置２２２に各種情報等を音により出力する。本実施の形態では、出力制御部２１０は、判断部２０６によって出力装置２２２からの出力により特定情報を伝達させると判断された場合、特定情報を出力装置２２２から音により出力する。例えば、出力制御部２１０は、スピーカ等から音により特定情報を出力させる。
【００３０】
次に、本実施の形態にかかるＰＣ１００から選択したプロジェクタ２００を特定し、接続されるまでの処理の流れを説明する。図５は、実施の形態１にかかる検索システムにおける特定情報の伝達実行処理の流れを示すシーケンス図である。
【００３１】
まず、ＰＣ１００は、ユーザによりＰＣ１００から通信機器を利用するためのアプリケーション（以下、「アプリ」と称する。）が起動される（ステップＳ１０）。次に、送受信部１０４は、通信機器であるプロジェクタ２００やプリンタ等の複数の通信機器に検索要求を送信する（ステップＳ１２、１４）。なお、ここでは、検索要求を送信する通信機器を２つ表示しているが、３つ以上の通信機器に送信可能である。
【００３２】
そして、送受信部１０４は、検索要求を送信した通信機器（プロジェクタ２００やプリンタ等）から、機器情報および特定情報の伝達方法を含む検索要求応答を受信する（ステップＳ１６、１８）。
【００３３】
送受信部１０４により検索要求応答を受信すると、ＰＣ１００の表示制御部１０８は、検索要求応答に含まれている機器情報の一覧を表示装置１１２に表示する（ステップＳ２０）。その後、入力受付部１０６は、表示された機器情報の一覧から機器情報の選択を受け付ける（ステップＳ２２）。ここでは、プロジェクタ２００の機器情報の選択を受け付ける。
【００３４】
機器情報の選択を受け付けると、表示制御部１０８は、選択された機器情報に対応する伝達方法の一覧を表示装置１１２に表示する（ステップＳ２４）。ここでは、プロジェクタ２００に対応する伝達方法の一覧を表示する。その後、入力受付部１０６は、表示された伝達方法の一覧から伝達方法の選択を受け付ける（ステップＳ２６）。
【００３５】
そして、送受信部１０４は、選択された機器情報が示す通信機器に、当該通信機器が選択された旨および選択された伝達方法を含む機器選択通知を送信する（ステップＳ２８）。ここでは、送受信部１０４は、選択されたプロジェクタ２００に、プロジェクタ２００が選択された旨および選択された伝達方法を含む機器選択通知を送信する。
【００３６】
送受信部２０４により機器選択通知を受信すると、プロジェクタ２００の表示制御部２０８または出力制御部２１０により、選択された伝達方法により、特定情報の伝達を実行する（ステップＳ３０）。
【００３７】
そして、入力受付部１０６は、上記伝達の実行により通信機器を確認したユーザにより、接続先の選択を受け付け（ステップＳ３２）、送受信部１０４は、接続先として選択された通信機器（ここでは、プロジェクタ２００）に接続要求を送信する（ステップＳ３４）。
【００３８】
なお、複数のＰＣ等の情報処理端末により同一の通信機器（プロジェクタ、プリンタ等）が選択されている場合、各情報処理端末に対して異なる伝達情報で特定情報を伝達する構成としてもよい。また、その際、複数の接続候補である情報処理端末の一覧を表示する構成としてもよい。
【００３９】
このように、実施の形態１の検索システムでは、ＰＣ１００が複数の通信機器に検索要求を送信し、機器情報（ＩＰアドレス、機器名等）および伝達方法を含む検索要求応答を受信する。次に、ＰＣ１００において検索要求応答に含まれる機器情報の一覧から機器情報の選択を受け付け、選択された機器情報が示すプロジェクタ２００に対応する伝達方法の一覧から伝達情報の選択を受け付け、伝達方法を含む機器選択通知をプロジェクタ２００に送信する。そして、プロジェクタ２００は、機器選択通知に含まれる伝達方法によりプロジェクタ２００を特定する特定情報の伝達を実行する。これにより、ＰＣ１００（情報処理端末）から選択したプロジェクタ２００（通信機器）を特定する際に、プロジェクタ２００が利用中やスタンバイ状態などであって端末名等の機器情報を表示できない場合でも、伝達が可能な伝達方法のうちの選択された伝達方法により、所望の通信機器であるプロジェクタ２００を特定できる。
【００４０】
（実施の形態２）
上述の実施の形態１にかかる検索システムでは、特定情報の伝達方法をＰＣ１００（情報処理端末）においてユーザにより選択させ、選択させた伝達方法を機器選択通知に含めてプロジェクタ２００（通信機器）に送信することで、プロジェクタ２００の特定情報を選択された伝達方法によって実行する構成となっていた。これに対し、本実施の形態では、情報処理端末においてユーザにより通信機器を選択させた後、選択された通信機器で機器の状態に合わせた特定情報の伝達方法を判断し、特定情報の伝達を実行するものである。
【００４１】
なお、本実施の形態においても情報処理端末をＰＣに適用し、通信機器をプロジェクタに適用した例を示す。また、検索システムの全体構成、ＰＣおよびプロジェクタのハードウェア構成については、実施の形態１と同様であるため説明を省略する（図１〜３参照）。
【００４２】
次に、本実施の形態にかかるＰＣ３００およびプロジェクタ４００のソフトウェア構成について説明する。図６は、実施の形態２にかかるＰＣおよびプロジェクタのソフトウェア構成例を示す図である。
【００４３】
まずＰＣ３００について説明する。図６に示すように、ＰＣ３００は、入力装置１１０と、表示装置１１２と、記憶部１２０と、制御部１０２と、送受信部３０４と、入力受付部３０６と、表示制御部３０８と、を主に備えている。ここで、入力装置１１０、表示装置１１２、記憶部１２０、および制御部１０２の機能および構成は実施の形態１と同様であるため説明を省略する（図４参照）。
【００４４】
送受信部３０４は、ネットワークを介して接続されたプロジェクタ等の通信機器と各種情報を送受信するものである。本実施の形態では、送受信部３０４は、いずれかの通信機器を利用する場合、通信機器を検索するための検索要求（信号）をネットワークに接続された複数の通信機器に送信する。また、送受信部３０４は、先に送信した検索要求を受信した通信機器に固有の機器情報を含む検索要求応答（応答）を受信する。また、送受信部３０４は、入力受付部３０６により機器情報の選択を受け付けた場合、選択された機器情報が示す通信機器に当該通信機器が選択された旨を含む機器選択通知を送信する。また、送受信部３０４は、接続先として選択された通信機器に接続要求を送信する。
【００４５】
入力受付部３０６は、入力装置１１０を介して、ユーザによる各種設定や指示等の入力を受け付ける。本実施の形態では、入力受付部３０６は、表示制御部３０８により受信した機器情報の一覧が表示装置１１２に表示された場合、表示された機器情報の一覧のうちユーザによる機器情報の選択を入力装置１１０を介して受け付ける。
【００４６】
表示制御部３０８は、表示装置１１２に各種情報等を表示する。本実施の形態では、表示制御部３０８は、送受信部３０４により、通信機器から検索要求に対する検索要求応答を受信した場合、受信した機器情報の一覧を表示装置１１２に表示する。
【００４７】
次に、プロジェクタ４００について説明する。図６に示すように、プロジェクタ４００は、表示装置２２０と、出力装置２２２と、記憶部４４０と、制御部２０２と、送受信部４０４と、判断部４０６と、表示制御部４０８と、出力制御部４１０と、測定部４１２と、管理部４１４と、入力受付部４１６と、を主に備えている。ここで、表示装置２２０、出力装置２２２、および制御部２０２の機能および構成は実施の形態１と同様であるため説明を省略する（図４参照）。
【００４８】
記憶部４４０は、各種伝達方法と、当該伝達方法の優先度を示す優先度情報を記憶するものであり、ＨＤＤなどの記録媒体である。
【００４９】
送受信部４０４は、ネットワークを介して接続されたＰＣ等の情報処理端末と各種情報を送受信するものである。本実施の形態では、送受信部４０４は、ＰＣ３００から、通信機器を検索するための検索要求（信号）を受信する。また、送受信部４０４は、受信した検索要求に対して、通信機器（自機器）に固有の機器情報（ＩＰアドレスや機器名等）を含む検索要求応答を、検索要求を送信してきたＰＣ３００に送信する。また、送受信部４０４は、ＰＣ３００に選択された場合、選択された旨を含む機器選択通知を受信する。
【００５０】
また、送受信部４０４は、判断部４０６により判断された伝達方法を通知する伝達方法通知信号を、選択を受け付けた情報処理端末であるＰＣ３００に送信する。これにより、ユーザによるプロジェクタ４００（通信機器）の特定の判断がしやすくなる。
【００５１】
判断部４０６は、情報処理端末であるＰＣ３００から、送受信部４０４により機器選択通知を受信した場合、プロジェクタ４００の状態（通信機器の状態）に応じて、プロジェクタ４００を特定する特定情報をいずれの伝達方法によりユーザに伝達するかを判断する。そして、判断部４０６は、判断された伝達方法によって、表示制御部４０８または出力制御部４１０に特定情報の伝達を実行させる。なお、表示制御部４０８および出力制御部４１０が実行部に相当する。
【００５２】
具体的には、例えば、判断部４０６は、プロジェクタ４００の状態が省電力機能であるスタンバイ状態である場合、プロジェクタ４００に備えられたＬＥＤ照明等を点滅させる伝達方法により伝達すると判断する。これにより、プロジェクタ４００において、特定情報をスクリーンに投影できない場合（ディスプレイ面に表示できない場合）や、音が出力できない場合でも、プロジェクタ４００が選択されたことを伝達することができる。
【００５３】
また、例えば、判断部４０６は、プロジェクタ４００の状態が無音で利用されている状態の場合、音を出力させる伝達方法により伝達すると判断する。これにより、プロジェクタ４００において、特定情報をスクリーンに投影できない場合でも、プロジェクタ４００が選択されたことを伝達することができる。また、投影でスクリーンを利用しているユーザの邪魔をすることもない。
【００５４】
また、例えば、判断部４０６は、プロジェクタ４００の状態が音を出力して利用されている状態の場合、表示装置２２０の表示面の枠を点滅させる伝達方法により伝達すると判断する。これにより、プロジェクタ４００において、投影でスクリーンを利用し、音の出力でスピーカ等を利用しているユーザの邪魔をすることなく、プロジェクタ４００が選択されたことを伝達することができる。
【００５５】
また、例えば、判断部４０６は、プロジェクタ４００の状態が表示装置２２０の表示面に縮小表示して利用されている状態の場合、表示面における空いている部分（一部分）に表示する伝達方法により伝達すると判断する。これにより、プロジェクタ４００において、投影でスクリーンを利用しているユーザの邪魔をすることなく、プロジェクタ４００が選択されたことを伝達することができる。
【００５６】
また、例えば、判断部４０６は、プロジェクタ４００の状態が無操作で利用されている状態の場合、表示装置２２０の表示面にポップアップ画面を表示する伝達方法により伝達すると判断する。
【００５７】
また、プロジェクタ４００の状態が複数の伝達方法の条件を満たしたとき、判断部４０６は、記憶部４４０に記憶されている優先度情報を参照し、優先度の高い伝達方法により伝達すると判断する。これにより、機器の状態（プロジェクタ４００の状態）により複数の伝達方法の条件を満たした場合に、より有効な伝達方法で特定情報を伝達することができる。
【００５８】
表示制御部４０８は、表示装置２２０に各種情報等を表示する。本実施の形態では、表示制御部４０８は、判断部４０６によって判断された伝達方法が、表示装置２２０への表示により特定情報を伝達させると判断された場合、特定情報を表示装置２２０に表示することで、特定情報の伝達を実行する。例えば、表示制御部４０８は、表示装置２２０の表示面の枠を点灯させる。また、例えば、表示制御部４０８は、表示面に他の情報が縮小表示され利用されている場合、表示面における空いている部分（一部分）に特定情報を表示させたり、表示面にポップアップ画面として特定情報を表示させる。また、表示制御部４０８は、入力受付部４１６により設定された伝達方法により特定情報の伝達を実行する。
【００５９】
出力制御部４１０は、出力装置２２２に各種情報等を音により出力する。本実施の形態では、出力制御部４１０は、判断部４０６によって判断された伝達方法が、出力装置２２２からの出力により特定情報を伝達させると判断された場合、特定情報を出力装置２２２から出力することで、特定情報の伝達を実行する。例えば、出力制御部４１０は、スピーカ等から音により特定情報を出力させる。また、出力制御部４１０は、入力受付部４１６により設定された伝達方法により特定情報の伝達を実行する。
【００６０】
測定部４１２は、プロジェクタ４００の周辺の明るさや、プロジェクタ４００の周辺の音量を測定するものである。
【００６１】
管理部４１４は、記憶部４４０に記憶されている優先度情報を管理する。本実施の形態では、管理部４１４は、測定部４１２により測定された明るさが所定の値を超えた場合、記憶部４４０に記憶されている優先度情報において、プロジェクタ４００に備えられたＬＥＤ照明を点滅させる伝達方法の優先度を下げる。プロジェクタ４００周辺が明るい場合は、ＬＥＤ照明の点滅による伝達効果が低いため、他のより有効な伝達方法により特定情報を伝達することができる。
【００６２】
また、管理部４１４は、測定部４１２により測定された音量が所定の値を超えた場合、記憶部４４０に記憶されている優先度情報において、音を出力させる伝達方法の優先度を下げる。プロジェクタ４００の周辺の騒音が大きい場合は、音の出力による伝達効果が低いため、他のより有効な伝達方法により特定情報を伝達することができる。
【００６３】
入力受付部４１６は、ユーザにより、伝達方法の設定を受け付ける。判断部４０６によって判断された伝達方法以外でも、ユーザが選択した伝達方法により特定情報を伝達することができ、プロジェクタ４００（通信機器）の特定がしやすくなる。
【００６４】
次に、本実施の形態にかかるＰＣ３００から選択したプロジェクタ４００を特定し、接続されるまでの処理の流れを説明する。図７は、実施の形態２にかかる検索システムにおける特定情報の伝達実行処理の流れを示すシーケンス図である。
【００６５】
まず、ＰＣ３００は、ユーザによりＰＣ３００から通信機器を利用するためのアプリが起動される（ステップＳ５０）。次に、送受信部３０４は、通信機器であるプロジェクタ４００やプリンタ等の複数の通信機器に検索要求を送信する（ステップＳ５２、５４）。なお、ここでは、検索要求を送信する通信機器を２つ表示しているが、３つ以上の通信機器に送信可能である。
【００６６】
そして、送受信部３０４は、検索要求を送信した通信機器（プロジェクタ４００やプリンタ等）から、機器情報を含む検索要求応答を受信する（ステップＳ５６、５８）。送受信部３０４により検索要求応答を受信すると、ＰＣ３００の表示制御部３０８は、検索要求応答に含まれている機器情報の一覧を表示装置１１２に表示する（ステップＳ６０）。その後、入力受付部３０６は、表示された機器情報の一覧から機器情報の選択を受け付ける（ステップＳ６２）。ここでは、プロジェクタ４００の機器情報の選択を受け付ける。
【００６７】
そして、送受信部３０４は、選択された機器情報が示す通信機器に、当該通信機器が選択された旨を含む機器選択通知を送信する（ステップＳ６４）。ここでは、送受信部３０４は、選択されたプロジェクタ４００に、プロジェクタ４００が選択された旨を含む機器選択通知を送信する。
【００６８】
送受信部４０４により機器選択通知を受信すると、プロジェクタ４００の判断部４０６は、プロジェクタ４００の状態に応じて、プロジェクタ４００の特定情報の伝達方法の判断をする（ステップＳ６６）。そして、表示制御部４０８または出力制御部４１０により、判断された伝達情報により、特定情報の伝達を実行する（ステップＳ６８）。その後、送受信部４０４は、判断部４０６により判断された伝達方法を通知する伝達方法通知信号をＰＣ３００に送信する（ステップＳ７０）。
【００６９】
そして、入力受付部３０６は、上記伝達の実行により通信機器を確認したユーザにより、接続先の選択を受け付け（ステップＳ７２）、送受信部４０４は、接続先として選択された通信機器に接続要求を送信する（ステップＳ７４）。
【００７０】
このように、実施の形態２の検索システムでは、ＰＣ３００が複数の通信機器に検索要求を送信し、機器情報（ＩＰアドレス、機器名等）を含む検索要求応答を受信する。次に、ＰＣ３００において検索要求応答に含まれる機器情報の一覧から機器情報の選択を受け付け、選択された旨を含む機器選択通知をプロジェクタ４００に送信する。そして、プロジェクタ４００は、プロジェクタ４００の状態に応じて特定情報の伝達方法を判断し、判断した伝達方法によりプロジェクタ４００を特定する特定情報を伝達する。これにより、ＰＣ３００（情報処理端末）から選択したプロジェクタ４００（通信機器）を特定する際に、プロジェクタ４００が利用中やスタンバイ状態などであって端末名等の機器情報を表示できない場合でも、伝達が可能な伝達方法のうちのプロジェクタ４００の状態に応じた伝達方法により、所望の通信機器であるプロジェクタ４００を特定できる。さらに、実施の形態２の検索システムでは、ＰＣ３００等の情報処理端末からプロジェクタ４００等の通信機器を利用する際に、ユーザが伝達方法を選択する手間を省くことができる。
【００７１】
実施の形態１、２にかかるＰＣ１００、３００で実行されるプログラムは、インストール可能な形式又は実行可能な形式のファイルでＣＤ−ＲＯＭ（Compact  Disk  Read  Only  Memory）、フレキシブルディスク（ＦＤ）、ＣＤ−Ｒ（Compact  Disk  Recordable）、ＤＶＤ（Digital  Versatile  Disk）等のコンピュータで読み取り可能な記録媒体に記録されてコンピュータプログラムプロダクトとして提供される。
【００７２】
また、実施の形態１、２にかかるＰＣ１００、３００で実行されるプログラムを、インターネット等のネットワークに接続されたコンピュータ上に格納し、ネットワーク経由でダウンロードさせることにより提供するように構成してもよい。また、実施の形態１、２にかかるＰＣ１００、３００で実行されるプログラムをインターネット等のネットワーク経由で提供または配布するように構成してもよい。また、実施の形態１、２にかかるＰＣ１００、３００で実行されるプログラムを、ＲＯＭ等に予め組み込んで提供するように構成してもよい。
【００７３】
実施の形態１、２にかかるＰＣ１００、３００で実行されるプログラムは、上述した各部（制御部、送受信部、入力受付部、表示制御部）を含むモジュール構成となっており、実際のハードウェアとしてはＣＰＵ５１（プロセッサ）が上記記憶媒体からログラムを読み出して実行することにより上記各部が主記憶装置上にロードされ、上述した各部が主記憶装置上に生成されるようになっている。また、例えば、上述した各部の機能のうちの一部または全部が専用のハードウェア回路で実現されてもよい。
【００７４】
また、実施の形態１、２のプロジェクタ２００、４００で実行されるプログラムは、ＲＯＭ等に予め組み込まれて提供される。実施の形態１、２のプロジェクタ２００、４００で実行されるプログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録して提供するように構成してもよい。
【００７５】
さらに、実施の形態１、２のプロジェクタ２００、４００で実行されるプログラムを、インターネット等のネットワークに接続されたコンピュータ上に格納し、ネットワーク経由でダウンロードさせることにより提供するように構成しても良い。また、実施の形態１、２のプロジェクタ２００、４００で実行されるプログラムをインターネット等のネットワーク経由で提供または配布するように構成しても良い。
【００７６】
実施の形態１、２のプロジェクタ２００、４００で実行されるプログラムは、上述した各部（制御部、送受信部、判断部、表示制御部、出力制御部、測定部、管理部、入力受付部）を含むモジュール構成となっており、実際のハードウェアとしてはＣＰＵ（プロセッサ）が上記ＲＯＭからプログラムを読み出して実行することにより上記各部が主記憶装置上にロードされ、上記各部が主記憶装置上に生成されるようになっている。また、例えば、上述した各部の機能のうちの一部または全部が専用のハードウェア回路で実現されてもよい。
【符号の説明】
【００７７】
１  検索システム
３  スマートフォン
４  液晶テレビ
５  プリンタ
９０  ネットワーク
１００、３００  ＰＣ
１０２  制御部
１０４、３０４  送受信部
１０６、３０６  入力受付部
１０８、３０８  表示制御部
１１０  入力装置
１１２  表示装置
１２０  記憶部
２００、４００  プロジェクタ
２０２  制御部
２０４、４０４  送受信部
２０６、４０６  判断部
２０８、４０８  表示制御部
２１０、４１０  出力制御部
２２０  表示装置
２２２  出力装置
２４０、４４０  記憶部
４１２  測定部
４１４  管理部
４１６  入力受付部
【先行技術文献】
【特許文献】
【００７８】
【特許文献１】特開２０１４−０１０７１８号公報
【図１】
0006515578.tif 000002
【図２】
0006515578.tif 000003
【図３】
0006515578.tif 000004
【図４】
0006515578.tif 000005
【図５】
0006515578.tif 000006
【図６】
0006515578.tif 000007
【図７】
0006515578.tif 000008